(57)【要約】【課題】伝票のデータを適切に入力できる伝票処理装置を提供する。【解決手段】取引先の識別子である取引先識別子と、取引の分類を示すデータである分類データを有する伝票補助データとを有する１以上の取引管理情報が格納されている取引管理情報格納部１０１と、取引管理情報格納部１０１に格納されている１以上の取引先識別子のリストを出力する出力部１０２と、出力部１０２が出力した取引先識別子のリストのうちの一の取引先識別子を指定する情報である取引先指定情報を受け付ける指定受付部１０３と、取引管理情報格納部１０１から、指定受付部１０３が受け付けた取引先指定情報が示す取引先識別子と対応づけられた伝票補助データを取得し、取得した伝票補助データを配置したオブジェクトである取引オブジェクトを出力する取引出力部１０５とを備えた。【選択図】図１
2016031729.tif 000002
【特許請求の範囲】
【請求項１】
取引先の識別子である取引先識別子と、取引の分類を示すデータである分類データを有する伝票補助データとを有する１以上の取引管理情報が格納されている取引管理情報格納部と、
前記取引管理情報格納部に格納されている１以上の取引先識別子のリストを出力する出力部と、
前記出力部が出力した取引先識別子のリストのうちの一の取引先識別子を指定する情報である取引先指定情報を受け付ける指定受付部と、
前記取引管理情報格納部から、前記指定受付部が受け付けた取引先指定情報が示す取引先識別子と対応づけられた伝票補助データを取得し、取得した伝票補助データを配置したオブジェクトである取引オブジェクトを出力する取引出力部とを備えた伝票処理装置。
【請求項２】
取引に関する日付及び金額の少なくとも一方を受け付ける受付部を更に備え、
前記取引出力部は、前記受付部が受け付けた日付及び金額の少なくとも一方を更に配置した前記取引オブジェクトを出力する請求項１記載の伝票処理装置。
【請求項３】
前記取引管理情報格納部に格納されている１以上の前記伝票補助データの少なくとも一部は、更に、取引の金額のデータを有し、
前記取引出力部は、前記取得した伝票補助データが、取引の金額のデータを有する場合に、当該金額のデータを配置した取引オブジェクトを出力する請求項１または請求項２記載の伝票処理装置。
【請求項４】
取引に関するデータであって、取引先識別子と分類データとを有する２以上の伝票データを受け付ける伝票受付部と、
前記伝票受付部が、同じ取引先識別子と分類データとの組を有する伝票データを、Ｎ（Ｎは、２以上の整数）回以上受け付けたか否かを判断する判断部と、
前記判断部が、Ｎ回以上受け付けたと判断した場合に、当該伝票データに含まれる取引先識別子と、当該伝票データに含まれる分類データを有する伝票補助データとを有する取引管理情報を、前記取引管理情報格納部に蓄積する蓄積部とを更に備えた請求項１から請求項３いずれか一項記載の伝票処理装置。
【請求項５】
取引先の識別子である取引先識別子と、取引の分類を示すデータである分類データを有する伝票補助データとを有する１以上の取引管理情報が格納されている取引管理情報格納部と、出力部と、指定受付部と、取引出力部とを用いて行われる伝票処理方法であって、
前記出力部が、前記取引管理情報格納部に格納されている１以上の取引先識別子のリストを出力する出力ステップと、
前記指定受付部が、前記出力ステップで出力した取引先識別子のリストのうちの一の取引先識別子を指定する情報である取引先指定情報を受け付ける指定受付ステップと、
前記取引出力部が、前記取引管理情報格納部から、前記指定受付部が受け付けた取引先指定情報が示す取引先識別子と対応づけられた伝票補助データを取得し、取得した伝票補助データを配置したオブジェクトである取引オブジェクトを出力する取引出力ステップとを備えた伝票処理方法。
【請求項６】
取引先の識別子である取引先識別子と、取引の分類を示すデータである分類データを有する伝票補助データとを有する１以上の取引管理情報が格納されている取引管理情報格納部にアクセス可能なコンピュータを、
前記取引管理情報格納部に格納されている１以上の取引先識別子のリストを出力する出力部と、
前記出力部が出力した取引先識別子のリストのうちの一の取引先識別子を指定する情報である取引先指定情報を受け付ける指定受付部と、
前記取引管理情報格納部から、前記指定受付部が受け付けた取引先指定情報が示す取引先識別子と対応づけられた伝票補助データを取得し、取得した伝票補助データを配置したオブジェクトである取引オブジェクトを出力する取引出力部として機能させるためのプログラム。
【発明の詳細な説明】
【技術分野】
【０００１】
本発明は、伝票データを処理する装置等に関するものである。
【背景技術】
【０００２】
従来の伝票処理装置において、オペレータにより入力された伝票入力データを記憶するものが知られていた（例えば、特許文献１参照）。
【先行技術文献】
【特許文献】
【０００３】
【特許文献１】特開２００６−２２７６９４号公報（第１頁、第１図等）
【発明の概要】
【発明が解決しようとする課題】
【０００４】
しかしながら、従来の伝票処理装置においては、伝票に入力されるデータを、適切に入力することができない、という課題があった。
【０００５】
例えば、従来においては、伝票へデータを入力する際に、どの取引のデータをどのように分類して入力すればよいかわかりにくいため、会計についての専門的な知識がないユーザにとっては、伝票のデータを適切に入力することができなかった。
【０００６】
また、過去に入力した伝票のデータと同様のデータを入力する際においても、伝票データをひとつずつ入力する必要があり、入力に非常に手間がかかっていた。
【０００７】
本発明は、上記のような課題を解消するためになされたものであり、伝票のデータを適切に入力できる伝票処理装置等を提供することを目的とする。
【課題を解決するための手段】
【０００８】
本発明の伝票処理装置は、取引先の識別子である取引先識別子と、取引の分類を示すデータである分類データを有する伝票補助データとを有する１以上の取引管理情報が格納されている取引管理情報格納部と、取引管理情報格納部に格納されている１以上の取引先識別子のリストを出力する出力部と、出力部が出力した取引先識別子のリストのうちの一の取引先識別子を指定する情報である取引先指定情報を受け付ける指定受付部と、取引管理情報格納部から、指定受付部が受け付けた取引先指定情報が示す取引先識別子と対応づけられた伝票補助データを取得し、取得した伝票補助データを配置したオブジェクトである取引オブジェクトを出力する取引出力部とを備えた伝票処理装置である。
【０００９】
かかる構成により、取引先の識別子を指定することにより、伝票のデータを分類データにより適切に分類して入力することができ、伝票のデータを適切に入力することができる。
【００１０】
また、本発明の伝票処理装置は、前記伝票処理装置において、取引に関する日付及び金額の少なくとも一方を受け付ける受付部を更に備え、取引出力部は、受付部が受け付けた日付及び金額の少なくとも一方を更に配置した取引オブジェクトを出力する伝票処理装置である。
【００１１】
かかる構成により、日付や金額を有する伝票データを適切に入力することができる。
【００１２】
また、本発明の伝票処理装置は、前記伝票処理装置において、取引管理情報格納部に格納されている１以上の伝票補助データの少なくとも一部は、更に、取引の金額のデータを有し、取引出力部は、取得した伝票補助データが、取引の金額のデータを有する場合に、金額のデータを配置した取引オブジェクトを出力する伝票処理装置である。
【００１３】
かかる構成により、取引先の識別子を指定することで、金額も入力することができるため、入力時の労力を軽減できる。
【００１４】
また、本発明の伝票処理装置は、前記伝票処理装置において、取引に関するデータであって、取引先識別子と分類データとを有する２以上の伝票データを受け付ける伝票受付部と、伝票受付部が、同じ取引先識別子と分類データとの組を有する伝票データを、Ｎ（Ｎは、２以上の整数）回以上受け付けたか否かを判断する判断部と、判断部が、Ｎ回以上受け付けたと判断した場合に、伝票データに含まれる取引先識別子と、伝票データに含まれる分類データを有する伝票補助データとを有する取引管理情報を、取引管理情報格納部に蓄積する蓄積部とを更に備えた伝票処理装置である。
【００１５】
かかる構成により、同じ取引先識別子と分類データとを有する伝票データの入力頻度に応じて、取引管理情報を自動的に登録することができる。これにより、同じ取引先識別子と分類データとが対応づけられた取引管理情報を自動的に登録することができる。
【発明の効果】
【００１６】
本発明による伝票処理装置等によれば、伝票のデータを適切に入力することができる。
【図面の簡単な説明】
【００１７】
【図１】本発明の実施の形態における伝票処理システムのブロック図
【図２】同伝票処理システムの伝票処理装置が出力する伝票データ入力画面を示す図
【図３】同伝票処理システムの伝票処理装置の動作について説明するフローチャート
【図４】同伝票処理システムの伝票処理装置の取引管理情報を示す図
【図５】同伝票処理システムの伝票処理装置のテンプレート情報の一例を示す図（図５（ａ））、及びこのテンプレート情報を用いて作成された取引オブジェクトを示す図（図５（ｂ））
【図６】同伝票処理システムの伝票処理装置が出力する伝票データ入力画面を示す図
【図７】同伝票処理システムの伝票処理装置が出力する伝票データ入力画面を示す図
【図８】同伝票処理システムの伝票処理装置が出力する取引先リストが配置されていない伝票データの入力画面を示す図
【図９】同伝票処理システムの伝票処理装置の伝票データ管理表を示す図
【図１０】同伝票処理システムの伝票処理装置の取引管理情報を示す図
【図１１】本発明の実施の形態におけるコンピュータシステムの外観の一例を示す図
【図１２】同コンピュータシステムの構成の一例を示す図
【発明を実施するための形態】
【００１８】
以下、伝票処理装置等の実施形態について図面を参照して説明する。なお、実施の形態において同じ符号を付した構成要素は同様の動作を行うので、再度の説明を省略する場合がある。
【００１９】
（実施の形態）
図１は、本実施の形態における伝票処理装置１のブロック図である。
【００２０】
伝票処理システム１０００は、伝票処理装置１と、１または２以上の情報処理端末２とを備えている。伝票処理装置１と、１または２以上の情報処理端末２とは、インターネット等のネットワークや通信回線等を介して接続されている。なお、本実施の形態においては、説明の便宜上、図１に示すように伝票処理システム１０００が一の情報処理端末２を有している場合を例に挙げて説明するが、情報処理端末２は、２以上であってもよい。
【００２１】
伝票処理装置１は、取引管理情報格納部１０１、出力部１０２、指定受付部１０３、受付部１０４、取引出力部１０５、伝票受付部１０６、判断部１０７、蓄積部１０８を備える。
【００２２】
情報処理端末２は、端末受付部２０１、端末送信部２０２、端末受信部２０３、端末表示部２０４を備えている。
【００２３】
取引管理情報格納部１０１には、１以上の取引管理情報が格納されている。取引管理情報は、取引先識別子と、伝票補助データと、を有する情報である。取引管理情報格納部１０１に格納される一の取引管理情報は、例えば、通常、一の取引についての取引先を示す取引先識別子と、この取引に対応した伝票補助データとの組を有している。
【００２４】
取引先識別子は、取引先の識別子である。取引先の識別子は、取引先である個人や法人を識別可能な情報であればどのような情報であっても良い。取引先の識別子は、例えば、取引先の法人名や、個人名、取引先に対応づけられたアカウント、取引先に割り当てられたインデックスやコード等である。取引先の識別子は、取引を行った部署や担当者の識別子（例えば、部署名や、部署コード、担当者名や、担当者コード等）を更に有していてもよい。一の取引管理情報が有する取引先識別子は複数であってもよい。
【００２５】
伝票補助データは、例えば、一の取引についての伝票データ作成を補助するための情報である。伝票補助データは、例えば、一の取引についての伝票データの一部として用いられるデータである。伝票補助データは、分類データを有するデータである。分類データは、取引の分類を示すデータである。分類データは、取引の分類項目を示すデータと考えてもよい。分類データは、例えば、取引の分類を表す文字列や、取引の分類を示すコード等である。取引の分類とは、例えば、売上、仕入、経費等の分類や、これらの分類を更に細分化した現金売上、入金取引、掛取引等の分類である。分類データは、例えば、分類名等の分類の識別子である。分類データは、例えば、仕訳における科目を示す情報である。科目とは、例えば、勘定科目等である。勘定科目とは、例えば、会計等において金額の名目を表すために用いられる科目である。勘定科目は、相手勘定科目も含むと考えて良い。また、勘定科目は、貸方の勘定科目でも良く、借方の勘定科目でも良く、その両方であってもよい。科目を示す情報は、勘定科目名や、勘定科目に対応づけられた識別子である。科目は、借方の科目と貸方の科目とのうちのいずれであっても良く、両方であっても良い。伝票補助データは、１または２以上の分類データのみで構成されていても良い。この場合、伝票補助データを、分類データと考えてもよい。
【００２６】
伝票データは、取引に関するデータである。伝票データとは、例えば、伝票に入力されるデータである。ここでの伝票に入力されるデータは、電子的な伝票に入力されるデータや、会計処理ソフトウェア等により伝票として扱われるデータや、伝票のデータとして会計処理用のデータベース等に格納されるデータ等も含む概念である。取引とは、例えば、営利のためになす経済行為や、契約や合意などのもと、金品や事柄をやり取りを行うことである。伝票とは、企業、例えば、会社等における金銭の出入や、取引内容等を記入するものであり、例えば、一定の様式等を有している。伝票の一例としては、入金伝票、出金伝票、振替伝票、仕入伝票、売上伝票、会計伝票、受発注伝票、契約伝票等がある。伝票データは、例えば、取引の内容を示すデータや、取引の分類を示す分類データや、取引の日付や、取引の金額のデータ等を有している。
【００２７】
伝票データは、例えば、取引に関する仕訳のデータ（以下、仕訳データと称す）である。仕訳とは、例えば、取引を借方要素と貸方要素とにわけ、各要素に、各要素の取引の分類項目と金額とを対応づけて、伝票に入力することである。仕訳データは、仕訳して伝票に入力することができるデータであってもよいし、既に仕訳されたデータであってもよい。例えば、仕訳データは、仕訳の項目等に対応づけられたデータであってもよい。例えば、仕訳データは、取引を借方要素と貸方要素とにわけて、それぞれの要素に取引の分類項目と金額とを対応づけられた情報である。この取引の分類項目の情報を、上述した分類データと考えてもよい。仕訳における取引の分類項目とは、例えば、勘定科目である。また、仕訳データは、摘要の情報を有していてもよい。摘要とは、取引先を示す情報や、取引内容を示す情報である。また、伝票データは、伝票の入力者の識別子等を有していてもよい。なお、伝票データが、仕訳データであってもよい。仕訳データは、具体的には、取引についての、分類データ（例えば、取引についての、勘定科目等）と、日付と、金額とを有するデータである。
【００２８】
取引管理情報格納部１０１に格納されている１以上の伝票補助データの少なくとも一部は、更に、取引の金額のデータを有していてもよい。例えば、毎回、同じ金額が入力される伝票データを作成する際に用いられる伝票補助データは、この金額のデータを有していても良い。例えば、定額の家賃についての伝票データを作成する際に用いられる伝票補助データは、この家賃の金額のデータを有するようにしてもよい。
【００２９】
取引管理情報格納部１０１は、不揮発性の記録媒体が好適であるが、揮発性の記録媒体でも実現可能である。かかることは、他の格納部についても同様である。
【００３０】
出力部１０２は、取引管理情報格納部１０１に格納されている１または２以上の取引先識別子のリスト（以下、取引先リストと称す）を出力する。例えば、出力部１０２は、取引管理情報格納部１０１に格納されている１以上の取引管理情報から、１または２以上の取引先識別子を読出し、読み出した１または２以上の取引先識別子で構成される取引先リストを出力する。
【００３１】
取引先リストを出力するということは、例えば、取引先リストを表示するための画像や、取引先リストを表示するための情報を出力することである。例えば、１または２以上の取引先識別子を示す文字列等を予め指定された方向に配列した画像や、このように配列した画像を表示するための情報を出力することである。取引先リストにおける取引先識別子の配列順等は問わない。
【００３２】
なお、ここでの取引先リストは、例えば、後述する指定受付部１０３が取引先識別子の指定を受け付けるための１または２以上の取引先識別子で構成されるメニューのリストである。例えば、出力部１０２は、各取引先識別子が配置される領域に対して、各取引先識別子の指定を受け付けるためのメニュー項目やスクリプトやコマンド等を予め対応づけた取引先リストを出力する。そして、出力された取引先リストのうちの、一の取引先識別子が配置されている領域がマウスやタッチパネル、キーボード等の操作によって指定された場合、指定受付部１０３は、例えば、この領域に配置された取引先識別子を指定する情報である取引先指定情報を受け付ける。
【００３３】
出力部１０２は、例えば、後述する受付部１０４等がユーザから受け付けた文字列を有する取引先識別子のみを取引管理情報格納部１０１から検索し、検索により取得した取引先識別子で構成される取引先リストを出力しても良い。
【００３４】
また、出力部１０２は、後述するような日付を受け付けるためのカレンダー領域（図示せず）や、金額を受け付けるための電卓領域（図示せず）を出力しても良い。例えば、出力部１０２や、取引先リストが配置されるリスト領域（図示せず）や、カレンダー領域や、電卓領域等を有する伝票データ入力画面（図示せず）等を出力しても良い。
【００３５】
以下、出力部１０２が出力する伝票データ入力画面の一例について説明する。
出力部１０２は、例えば、伝票データの入力を受け付ける画面である伝票データ入力画面を出力する。伝票データ入力画面は、例えば、伝票データの入力を受け付けるために用いられる、メニューやボタン等を備えたインターフェース画面である。ここでの画面は、図示しないモニタの画面と考えてもよいし、いわゆるウインドウやペイン等と考えてもよい。伝票データ入力画面を表示するための情報、例えば、伝票データ入力画面に用いられる画像情報や、枠線等を指定する情報や、背景色等の色を指定する情報等は、例えば、図示しない格納部等に予め格納されているように、これを適宜読み出すことで取得するようにすればよい。
【００３６】
図２は、取引出力部１０５の出力に応じて表示される伝票データ入力画面について説明するための図である。例えば、図２は、情報処理端末２の端末表示部２０４により表示される伝票データ入力画面である。
【００３７】
伝票データ入力画面１０は、例えば、取引表示領域１１、リスト領域１２、カレンダー領域１３、及び電卓領域１４の少なくとも１以上の領域を有する画面である。
【００３８】
取引表示領域１１は、例えば、後述する取引出力部１０５が出力する取引オブジェクトが配置される領域である。例えば、取引出力部１０５が１以上の取引オブジェクトを出力する場合、出力部１０２が出力する伝票データ入力画面１０の取引表示領域１１に、取引出力部１０５が出力する１以上の取引オブジェクトが、合成されて配置されてもよく、重ねて配置されてもよく、置き換えられて配置されてもよい。取引表示領域１１は、例えば、取引毎の入力内容が常に確認できるように、他のリスト領域１２、カレンダー領域１３、及び電卓領域１４と重ならない領域であることが好ましい。より好ましくは、取引表示領域１１、リスト領域１２、カレンダー領域１３、及び電卓領域１４は、互いに重ならない領域であることが好ましい。取引表示領域１１に配置される取引オブジェクトについては後述する。
【００３９】
出力部１０２は、例えば、伝票データ入力画面１０のリスト領域１２に、上述したような取引先リストを表示する。例えば、出力部１０２は、取引先リストを表示するための情報を取得して、情報処理端末２に送信する。情報処理端末２はこの情報を端末受信部２０３で受信し、端末表示部２０４が伝票データ入力画面１０のリスト領域１２に取引先リストを表示する。リスト領域１２の一の取引先識別子に対して、マウスクリックやタップ等の所定の操作が行われると、端末受付部２０１が、この取引先識別子に対する操作を受け付ける。そして、この取引先識別子を指定する取引先指定情報を端末送信部２０２が伝票処理装置１に送信する。伝票処理装置１の指定受付部１０３は、この取引先指定情報を受信する。
【００４０】
出力部１０２は、例えば、伝票データ入力画面１０に、日付の入力を受け付けるための領域であるカレンダー領域１３を出力する。カレンダー領域１３には、通常、カレンダーを示す画像が配置される。また、カレンダーを示す画像の各日付上の領域には、各日付の入力受け付けるための図示しない領域が設定される。例えば、図示しない格納部等に格納されているカレンダーを示す画像を表示するための情報と、カレンダーの各日付に対応づけられた、各日付の入力の受け付けるための領域を示す情報とを用いて、出力部１０２は、カレンダー領域１３を出力をする。カレンダー領域１３を出力するということは、カレンダー領域１３を表示するための情報を出力することも含む概念である。カレンダー領域１３は、日付を受け付けるための入力インターフェースと考えてもよい。なお、カレンダー領域１３を出力することは、伝票データ入力画面１０にカレンダー領域１３を表示することと考えてもよい。なお、カレンダーを日付の入力を受け付ける領域として出力（例えば、表示)すること等は公知技術であるため、ここでは詳細な説明は省略する。
【００４１】
出力部１０２は、例えば、伝票データ入力画面１０に、伝票データの金額の入力を受け付けるための領域である電卓領域１４を出力する。電卓領域１４には、通常、電卓を示す画像が表示される。電卓を示す画像は、例えばテンキーと、入力された数字、あるいは演算結果の数字が表示される金額表示領域１４ａとを有する画像である。テンキーの各キー上の領域には、各キーに対応した数字や、算術記号等の入力を受け付けるための領域が設定される。例えば、出力部１０２は、図示しない格納部に格納されている電卓を表示するためのデータと、電卓の各キーに対して対応づけられた、各キーに対応する数字や、算術記号等の入力を受け付けるための領域を示すデータとを用いて、電卓領域１４を表示するためのデータを取得し、出力する。電卓領域１４を出力するということは、電卓領域１４を表示するための情報を出力することも含む概念である。電卓領域１４は、金額を受け付けるための入力インターフェースと考えてもよい。なお、出力部１０２は、例えば、入力された数字や、演算結果の数字等を、金額表示領域１４ａに表示するための出力を行っても良い。
【００４２】
ここでの出力とは、ディスプレイへの表示、外部の装置への送信、記録媒体への蓄積、他の処理装置や他のプログラムなどへの処理結果の引渡しなどを含む概念である。かかることは、取引出力部１０５等の出力においても同様である。
【００４３】
出力部１０２は、ディスプレイやタッチパネル等の出力デバイスを含むと考えても含まないと考えても良い。出力部１０２は、出力デバイスのドライバーソフトまたは、出力デバイスのドライバーソフトと出力デバイス等で実現され得る。かかることは、取引出力部１０５等においても同様である。
【００４４】
指定受付部１０３は、取引先指定情報を受け付ける。取引先指定情報は、出力部１０２が出力した取引先リストのうちの一の取引先識別子を指定する情報である。取引先指定情報は、例えば、出力部１０２が出力する取引先リストを構成する取引先識別子のうちの一の取引先識別子を指定する情報である。例えば、指定受付部１０３は、上述したような出力部１０２が出力した（例えば、表示した）取引先リストのうちの一の取引先識別子を指定する操作に応じて、この取引先識別子を指定する取引先指定情報を受け付ける。一の取引先識別子を指定する操作は、例えば、取引先リストに出力（例えば、表示）される一の取引先識別子をマウスやタッチパネル等を介して選択する操作である。なお、複数の情報が配置された取引先リストから、一の情報を指定する情報を受け付ける構成等については、公知技術であるため、ここでは詳細な説明は省略する。
【００４５】
ここでの受け付けとは、キーボードやマウス、タッチパネルなどの入力デバイスから入力された情報の受け付け、有線もしくは無線の通信回線を介して送信された情報の受信などを含む概念である。かかることは、受付部１０４や、伝票受付部１０６や、端末受付部２０１等の受け付けにおいても同様である。
【００４６】
入力手段は、キーボードやマウスやタッチパネルやメニュー画面によるもの等、何でも良い。指定受付部１０３は、タッチパネルやキーボード等の入力手段や通信手段のデバイスドライバーや、メニュー画面の制御ソフトウェア等で実現され得る。かかることは、受付部１０４や、伝票受付部１０６や、端末受付部２０１等においても同様である。
【００４７】
受付部１０４は、取引に関する日付及び取引に関する金額の少なくとも一方を受け付ける。受付部１０４は、例えば、一の伝票データに入力される日付及び金額の少なくとも一方を受け付ける。受付部１０４は、例えば、一の取引についての取引オブジェクトに配置される日付及び金額の少なくとも一方を受け付ける。
【００４８】
取引に関する日付とは、例えば、取引の発生した日付である。取引に関する日付とは、後述する取引オブジェクトに配置される日付である。取引に関する日付とは、例えば、取引に関する伝票データに入力される日付である。受付部１０４は、例えば、上述したような、出力部１０２が出力するカレンダー領域１３を介して、取引に関する日付の入力を受け付けてもよい。
【００４９】
受付部１０４は、例えば、出力部１０２が出力するカレンダー領域１３の一の日付に対して、この日付を選択するための所定の操作が行われた場合に、この選択された日付を受け付ける。例えば、出力部１０２は、カレンダー領域１３を表示するための情報を取得して、情報処理端末２に送信し、情報処理端末２はこの情報を端末受信部２０３で受信し、端末表示部２０４がカレンダー領域１３を伝票データ入力画面１０に表示する。そして、カレンダー領域１３の一の日付に対して、マウスクリックやタップ等の所定の操作が行われると、端末受付部２０１が、この日付の入力を受け付け、端末送信部２０２が受け付けた日付を伝票処理装置１に送信する。伝票処理装置１の受付部１０４はこの日付を受け付ける。
【００５０】
取引に関する金額とは、例えば、取引において発生する金額や、取引において受け渡しされる金額等である。取引に関する金額とは、後述する取引オブジェクトに配置される金額である。受付部１０４は、例えば、上述したような、出力部１０２が出力する電卓領域１４を介して金額の入力を受け付けてもよい。例えば、受付部１０４は、電卓領域等を介して受け付けた一の金額を取引オブジェクト（図示せず）に配置される貸方の金額と借方の金額との両方としてして受け付けてもよい、仕訳において利用される貸方の金額と借方の金額との両方としてして受け付けてもよい。
【００５１】
受付部１０４は、例えば、出力部１０２が出力する電卓領域１４の一以上のキーに対して、キーを押す操作を受け付けた場合に、この操作されたキーに対する数字や算術記号等を受け付け、この受け付けた数字を、取引についての金額として受け付ける。
【００５２】
具体例を挙げて説明すると、出力部１０２は、電卓領域１４を表示するための情報を取得して、情報処理端末２に送信し、情報処理端末２はこの情報を端末受信部２０３で受信し、端末表示部２０４が電卓領域１４を伝票データ入力画面１０に表示する。そして、電卓領域１４の１または２以上のキーに対して操作が行われると、端末受付部２０１が、このキーに対する操作を受け付けて操作を示す情報を取得し、この操作を示す情報を端末送信部２０２が伝票処理装置１に送信する。伝票処理装置１の受付部１０４は、この操作の情報を受信して、受信した操作の情報に対応した金額の情報を受け付ける。
【００５３】
また、受付部１０４は、出力部１０２の出力に応じて表示される電卓領域１４のキーを介して受け付けた数字や算術記号等を用いて演算を行う指示を、予め指定されたキー、例えば、イコールキー等に対する操作に応じて受け付けると、入力された数値や算術記号を用いて演算を行い、演算結果により得られた金額を取引についての金額として受け付ける。また、演算結果の数字を、取引出力部１０５は、金額表示領域１４ａに表示するための出力を行う。なお、電卓を表示する技術や、電卓に入力された数字等を用いて演算を行う技術は、公知技術であるため、ここでは詳細な説明は省略する。
【００５４】
取引出力部１０５は、取引管理情報格納部１０１から、指定受付部１０３が受け付けた取引先指定情報が示す取引先識別子と対応づけられた伝票補助データを取得し、取得した伝票補助データを配置した１または２以上の取引オブジェクトを出力する。取引オブジェクトは、取得した伝票補助データを配置したオブジェクトである。
【００５５】
オブジェクトとは、例えば、画面等の出力媒体に出力される出力対象や部品である。オブジェクトとは、例えば、画像や、文字列や、これらの組み合わせである。一の取引オブジェクトは、一の取引の伝票データが配置されたオブジェクトである。一の取引オブジェクトは、例えば、一の取引の伝票データが配置された画像や、枠線で囲まれたり、背景色を他の領域とは異なるものとすること等によって、他の領域や背景等から区切られた領域である。一の取引オブジェクトは、例えば、連続した複数の行や列、セル等を有する表やスプレッドシートの行や列や１以上のセルとは異なるものである。
【００５６】
一の取引オブジェクトは、例えば、一の取引に関するデータを配置したオブジェクトであり、例えば、一の取引について入力される伝票のデータが配置されたオブジェクトである。一の取引オブジェクトは、例えば、指定受付部１０３が受け付けた一の取引先指定情報が示す取引先識別子と対応づけられた伝票補助データを配置したオブジェクトであり、具体的には、取引先識別子と対応づけられた伝票補助データが有する分類データを配置したオブジェクトである。一の取引オブジェクトには、伝票補助データの全てが配置されても良く、分類データを含む一部のみが配置されても良い。取引出力部１０５は、伝票補助データを含む取引に関するデータを、取引毎に個別に配置した１または２以上の取引オブジェクトを出力する。取引オブジェクトは、例えば、伝票のデータを取引ごとに個別に配置したオブジェクトであると考えてもよい。一の取引オブジェクトは、一の取引についての仕分けのデータが配置されたオブジェクトと考えてもよい。
【００５７】
また、取引出力部１０５は、指定受付部１０３が受け付けた取引先指定情報が示す取引先識別子を更に配置した取引オブジェクトを出力するようにしてもよい。例えば、取引出力部１０５は、指定受付部１０３が受け付けた取引先指定情報が示す取引先識別子を、取引オブジェクトが示す取引の摘要の情報として配置する。例えば、取引出力部１０５は、取引先識別子を、取引オブジェクトの摘要を配置する領域（図示せず）等に配置する。
【００５８】
また、取引出力部１０５は、受付部１０４が受け付けた日付及び金額の少なくとも一方を更に配置した取引オブジェクトを出力するようにしてもよい。例えば、受付部１０４が受け付けた日付は、取引オブジェクトが示す取引の日付のデータとして、取引オブジェクトに配置される。例えば、取引出力部１０５は、日付を、取引オブジェクトの取引の日付を配置する領域（図示せず）等に配置する。あるいは、日付を、取引オブジェクトの作成日として取引オブジェクトに配置してもよい。
【００５９】
例えば、受付部１０４が受け付けた金額は、伝票補助データが有する取引の分類を示すデータと対応づけられて取引オブジェクトに配置される。例えば、受付部１０４が受け付けた金額は、伝票補助データが有する分類を示すデータである貸方の勘定科目と、借方の勘定科目と、それぞれ対応づけられて取引オブジェクトに配置される。例えば、取引出力部１０５は、金額を、取引オブジェクトの勘定科目欄（図示せず）に配置する。例えば、取引出力部１０５は、一の金額を、借方勘定科目の配置領域と、貸方勘定科目の配置領域との両方に配置しても良い。
【００６０】
また、取引出力部１０５は、取引管理情報格納部１０１から取得した伝票補助データが、取引の金額のデータを有する場合には、この伝票補助データの金額のデータを配置した取引オブジェクトを出力するようにしてもよい。この場合、取引の金額のデータを有さない場合には、受付部１０４が受け付けた金額のデータを配置するようにしてもよい。
【００６１】
取引オブジェクトを出力するということは、取引オブジェクトの表示するための情報を出力することと考えてもよい。取引オブジェクトを出力するということは、例えば、取引オブジェクトを表示するためデータを取得して出力することである。例えば、取引出力部１０５は、取得した取引オブジェクトを表示するためのデータを、情報処理端末２に送信する。
【００６２】
取引出力部１０５は、例えば、指定受付部１０３が、一の取引の取引先を示す取引先指定情報を受け付けた場合に、この取引先指定情報に対応する伝票補助データを配置した一の取引オブジェクトを表示するための出力を行う。例えば、取引出力部１０５は、指定受付部１０３が一の取引についての取引先指定情報を受け付ける毎に、受け付けた取引についての取引オブジェクトを表示するためのデータを生成し、出力を行う。
【００６３】
取引出力部１０５は、例えば、図２に示したような取引表示領域１１内に、１または２以上の取引オブジェクト１５を出力する。取引表示領域１１は、取引オブジェクトを配置するための、上述した伝票データ入力画面１０内の予め指定された領域である。例えば、取引出力部１０５は、１以上の取引オブジェクト１５を取引表示領域１１内に表示してもよく、１以上の取引オブジェクト１５を取引表示領域１１内に表示するための情報を出力してもよい。
【００６４】
取引オブジェクトを取引毎に個別に配置することとは、例えば、各取引オブジェクトが、異なるものであることが明確にわかるような態様で配置することである。例えば、隣接する各取引オブジェクト間の対向する部分に、１以上の非連続な部分や非接触な部分が存在するよう取引オブジェクトを配置することであり、例えば、非接触となるように取引オブジェクト間にスペースを設けて配置することである。また、角を丸めた四角形（以下、角丸四角形と称す）形状の複数のオブジェクトを、直線状の辺の部分が接触するよう配置することも、接触したオブジェクト間において、角丸の部分が非接触な部分となることから、取引オブジェクトが個別に配置されることと考えてもよい。
【００６５】
取引オブジェクトの形状やサイズ等は問わない。例えば、各取引オブジェクトの形状は、四角形や角丸四角形である。ここでは、一例として取引オブジェクトの形状が、角丸四角形である場合を示しているが、他の形状であってもよい。各取引オブジェクトの高さ等は、配置される伝票データに応じて増減されるようにしてもよい。
【００６６】
取引出力部１０５は、例えば、図示しない格納部に格納されている形状情報を用いて、伝票データを配置した取引オブジェクトを表示するための出力を行う。例えば、取引出力部１０５は、形状情報が示す領域や画像上に、伝票データを配置した取引オブジェクトを表示するためのデータを取得し、出力する。形状情報は、取引オブジェクトのテンプレートの情報と考えてもよい。
【００６７】
形状情報は、例えば、取引オブジェクトの輪郭の形状やサイズ（高さ及び幅の少なくとも一方）を指定する情報や、取引オブジェクトの輪郭の座標を指定する情報である。また、取引オブジェクトの背景色や背景画像、枠線、内部に出力される罫線等を示す情報を有していてもよい。形状情報は、例えば、ビットマップ画像やベクトル画像等の画像情報であってもよい。また、形状情報は、例えば、境界線や面等を表現する方程式のパラメータの情報等であってもよい。
【００６８】
また、形状情報は、伝票データを構成する各データが配置される位置を指定する情報（例えば、座標等）を有していてもよい。位置を指定する情報は、各データが配置される領域を指定する情報（例えば、領域の位置や高さ等）を有していてもよい。取引出力部１０５は、例えば、各取引オブジェクトの、この伝票データを構成する各データが配置される位置を指定する情報が示す位置に、各伝票データを構成する各データを配置する。
【００６９】
また、形状情報は、伝票データを構成する各データの取引オブジェクト１５における出力態様を指定する情報、例えば、配置位置や配置領域、文字や数字のサイズ、フォント、文字色、配列方向等を示す情報を更に有していてもよい。
【００７０】
形状情報は、例えば、取引オブジェクトについてのいわゆるスタイルシート等の情報であってもよい。スタイルシートとしては、例えば、ＸＭＬ等において用いられるスタイルシートに相当するものが利用可能である。
【００７１】
取引出力部１０５は、例えば、複数の取引オブジェクトを、予め指定された方向に配列して表示するための出力を行う。取引出力部１０５は、例えば、複数の取引オブジェクトを、予め指定された間隔を隔てて配置して出力する。取引オブジェクトの配置を示す情報は、例えば、図示しない格納部等に蓄積される。
【００７２】
取引出力部１０５は、伝票データの入力開始時には、過去に出力された取引オブジェクトを表示するための出力を行わないことが好ましい。伝票データの入力開始時とは、例えば、伝票処理装置１を立ち上げ時や、伝票データ入力画面の表示開始時等である。例えば、取引出力部１０５は、伝票データの入力終了時には、表示のために出力された取引オブジェクトを非表示、あるいは削除する指示等を出力することによって、次の入力開始時に過去に出力された取引オブジェクトを表示するための出力を行われないようにしてもよい。このことは取引出力部１０５が、入力終了時に取引オブジェクトの出力をリセットすることと考えてもよい。入力終了時は、例えば、伝票処理装置１の終了時や、伝票データ入力画面の出力終了時である。
【００７３】
例えば、取引出力部１０５は、出力部１０２が伝票データ入力画面１０の出力を終了した後において、再度、伝票データ入力画面１０を出力する際においては、終了前に取引表示領域１１に表示していた取引オブジェクトを表示するための出力を行わないようにしてよい。ここでの出力は、情報処理端末２の端末表示部２０４による取引オブジェクトの表示と考えてもよい。例えば、取引出力部１０５は、伝票データ入力画面１０の出力終了時に、取引表示領域内に表示していた全ての取引オブジェクトを削除してもよい。
【００７４】
なお、取引出力部１０５は、取引オブジェクトに配置される情報を、伝票のデータや、仕分けのデータ等として、データベース等に蓄積してもよく、他の装置等に送信してもよい。
【００７５】
伝票受付部１０６は、取引先識別子と分類データとを有する２以上の伝票データを受け付ける。伝票データは、取引に関するデータである。伝票データとは、例えば、伝票に入力されるデータである。ここでの伝票に入力されるデータは、電子的な伝票に入力されるデータや、会計処理ソフトウェア等により伝票として扱われるデータや、伝票のデータとして会計処理用のデータベース等に格納されるデータ等も含む概念である。伝票受付部１０６が受け付ける一の伝票データは、一の取引に関するデータである。取引とは、例えば、営利のためになす経済行為や、契約や合意などのもと、金品や事柄をやり取りを行うことである。伝票とは、企業、例えば、会社等における金銭の出入や、取引内容等を記入するものであり、例えば、一定の様式等を有している。伝票の一例としては、入金伝票、出金伝票、振替伝票、仕入伝票、売上伝票、会計伝票、受発注伝票、契約伝票等がある。
【００７６】
伝票受付部１０６が受け付けた伝票データは、例えば、図示しない格納部等に蓄積される。なお、取引出力部１０５が、伝票受付部１０６が受け付けた伝票データを上記と同様に取引オブジェクトに配置して出力するようにしてもよい。
【００７７】
判断部１０７は、伝票受付部１０６が、同じ取引先識別子と分類データとの組を有する伝票データを、Ｎ（Ｎは、２以上の整数）回以上受け付けたか否かを判断する。例えば、判断部１０７は、伝票受付部１０６が、伝票データを受け付けて図示しない格納部に蓄積するごとに、受け付けた伝票データと同じ取引先識別子と分類データとの組を有する伝票データをこの格納部において検索し、検出された伝票データ数が、予め指定された閾値であるＮ（Ｎは、２以上の整数）以上であるか否かを判断し、閾値以上であれば、Ｎ回以上受け付けたと判断する。なお、伝票受付部１０６は、受け付けた伝票データを蓄積する代わりに、受け付けた伝票データの取引再起識別子と分類データとの組だけを蓄積するようにしてもよい。
【００７８】
蓄積部１０８は、判断部１０７が、Ｎ回以上受け付けたと判断した場合に、この同じ取引先識別子と分類データとの組を有する伝票データに含まれる取引先識別子と、この分類データを有する伝票補助データと、を有する取引管理情報を、取引管理情報格納部１０１に蓄積する。更に、蓄積部１０８は、同じ取引先識別子と分類データとの組を有する伝票データが、いずれも同じ金額を有する場合に、この金額を更に含む伝票補助データを有する取引管理情報を蓄積するようにしてもよい。
【００７９】
端末受付部２０１は、取引先識別子を指定するための操作を受け付ける。例えば、後述する端末表示部２０４が表示する取引先リストに表示された１以上の取引先識別子のうちの一つを指定する操作を受け付ける。
【００８０】
また、端末受付部２０１は、取引に関する日付および金額の少なくとも一方を入力する操作を受け付ける。例えば、後述する端末表示部２０４が表示するカレンダー領域や電卓領域を介して、日付または金額を入力するに表示された１以上の取引先識別子のうちの一つを指定する操作を受け付ける。
【００８１】
また、端末受付部２０１は、例えば、上記以外の伝票データを入力する操作を受け付けてもよい。
【００８２】
端末受付部２０１は、例えば、伝票処理装置１の出力部１０２が出力する伝票データ入力画面の表示するための情報を用いて端末表示部２０４が表示する伝票データ入力画面に用いて上記のような操作を受け付ける。
【００８３】
端末送信部２０２は、端末受付部２０１が受け付けた操作に応じた情報を、伝票処理装置１に送信する。例えば、端末送信部２０２は、端末受付部２０１が受け付けた取引先識別子を指定する操作に応じて、指定された取引先識別子を指定する取引先指定情報を取得して、伝票処理装置１に送信する。また、例えば、端末送信部２０２は、端末受付部２０１が受け付けた取引の日付や金額を入力する操作に応じて、入力された日付や金額を伝票処理装置１に送信する。また、例えば、端末送信部２０２は、端末受付部２０１が受け付けた上記以外の伝票データを入力する操作に応じて、入力された伝票データを伝票処理装置１に送信する。端末送信部２０２は、通信手段や、そのドライバー等で実現される。
【００８４】
端末受信部２０３は、伝票処理装置１の取引出力部１０５が送信する１または２以上の取引オブジェクトを表示する情報を受信する。端末受信部２０３は、伝票処理装置１の出力部１０２が送信する取引先リストを表示する情報を受信する。また、端末受信部２０３は、例えば、伝票処理装置１の出力部１０２が送信する伝票データ入力画面１０を表示する情報を受信する。端末受信部２０３は、例えば、伝票処理装置１の出力部１０２が送信するカレンダー領域１３や電卓領域１４を表示する情報を受信する。端末受信部２０３は、通信手段や、そのドライバー等で実現される。
【００８５】
端末表示部２０４は、端末受信部２０３が受信した取引オブジェクトを表示する情報を用いて、１または２以上の取引オブジェクトを表示する。例えば、端末表示部２０４は、伝票データ入力画面１０の取引表示領域１１に、取引毎の取引オブジェクトを個別に表示する。端末表示部２０４は、端末受信部２０３が受信した取引先リストを表示する情報を用いて、取引先リストを表示する。例えば、この取引先リストを、伝票データ入力画面のリスト領域１２に表示する。端末表示部２０４は、例えば、端末受信部２０３が受信した伝票データ入力画面を表示する情報を用いて、伝票データ入力画面を表示する。端末表示部２０４は、例えば、端末受信部２０３が受信したカレンダー領域１３を表示する情報を用いて、カレンダー領域１３を表示する。端末表示部２０４は、例えば、端末受信部２０３が受信した電卓領域１４を表示する情報を用いて、電卓領域１４を表示する。
【００８６】
端末表示部２０４は、モニタ等の表示デバイスを含むと考えても含まないと考えても良い。端末表示部２０４は、表示デバイスのドライバーソフトまたは、表示デバイスのドライバーソフトと表示デバイス等で実現される。
【００８７】
次に、伝票処理装置１の動作の一例について図３のフローチャートを用いて説明する。
【００８８】
（ステップＳ１０１）出力部１０２は、取引先リストを用いた伝票データの入力を行うか否かを判断する。例えば、受付部１０４等が、取引先リストを用いる入力を行う指示を受け付けた場合に、取引先リストを用いた入力を行うことを判断する。取引先リストを用いて入力を行う場合、ステップＳ１０２に進み、入力を行わない場合、ステップＳ１１２に進む。
【００８９】
（ステップＳ１０２）出力部１０２は、取引管理情報格納部１０１に格納されている取引管理情報から取引先識別子を取得して、取引先リストを作成する。
【００９０】
（ステップＳ１０３）出力部１０２は、ステップＳ１０２で取得した取引先リストを出力する。例えば、取引先リストを情報処理端末２に送信する。ここでは、例えば、出力部１０２は、取引先リストを配置した伝票データ入力画面を出力する。
【００９１】
（ステップＳ１０４）指定受付部１０３は、取引先指定情報を受け付けたか否かを判断する。例えば、情報処理端末２から、取引先指定情報を受け付けたか否かを判断する。受け付けた場合、ステップＳ１０５に進み、受け付けていない場合、ステップＳ１０４に戻る。
【００９２】
（ステップＳ１０５）取引出力部１０５は、ステップＳ１０４で受け付けた取引先指定情報が示す取引先識別子と対応づけられた伝票補助データを、取引管理情報格納部１０１に格納されている取引先管理情報から取得する。
【００９３】
（ステップＳ１０６）受付部１０４は、取引に関する日付を受け付けたか否かを判断する。例えば、情報処理端末２から取引に関する日付を受信したか否かを判断する。受信した場合、ステップＳ１０７に進み、受信していない場合、ステップＳ１０６に戻る。
【００９４】
（ステップＳ１０７）取引出力部１０５は、ステップＳ１０５で取得した伝票補助データに、取引に関する金額があるか否かを判断する。ある場合、ステップＳ１０８に進み、ない場合、ステップＳ１１１に進む。
【００９５】
（ステップＳ１０８）取引出力部１０５は、ステップＳ１０５で取得した伝票補助データと、ステップＳ１０６やステップＳ１０７で取得した日付や金額を用いて、取引オブジェクトを取得する。取引オブジェクトを取得するということは、取引オブジェクトを出力するための情報を取得することと考えてもよい。例えば、取引出力部１０５は、伝票補助データが金額を有するか否かを判断し、有さない場合、伝票補助データが有する分類データとステップＳ１０７で取得した金額とを対応づけて有し、かつ、ステップＳ１０７で取得した日付と、伝票補助データが有する取引先識別子とを有する取引オブジェクトを取得する。また、有さない場合、取引出力部１０５は、伝票補助データが有する分類データと金額とを対応づけて有し、かつステップＳ１０７で取得した日付と、伝票補助データが有する取引先識別子を有する取引オブジェクトを取得する。
【００９６】
（ステップＳ１０９）取引出力部１０５は、ステップＳ１０８で取得した取引オブジェクトを出力する。例えば、取引オブジェクトを表示するための情報を、情報処理端末２に送信する。
【００９７】
（ステップＳ１１０）伝票処理装置１の受付部１０４等は、新たな取引についての伝票データの入力を行うか否かを判断する。例えば、新たなデータの入力を行うことを示す情報を受け付けたか否かを判断する。新たに行う場合、ステップＳ１０４に戻り、行わない場合、処理を終了する。
【００９８】
（ステップＳ１１１）受付部１０４は、取引に関する金額を受け付けたか否かを判断する。受け付けた場合、ステップＳ１０８に戻り、受け付けていない場合、ステップＳ１１１に戻る。
【００９９】
（ステップＳ１１２）出力部１１２は、、取引先リストを用いずに伝票データの入力を行うか否かを判断する。例えば、受付部１０４等が、取引先リストを用いずに入力を行う指示を受け付けた場合に、取引先リストを用いないで入力を行うことを判断する。取引先リストを用いずに入力を行う場合、ステップＳ１０２に進み、入力を行わない場合、ステップＳ１１２に進む。
【０１００】
（ステップＳ１１３）出力部１１２は、取引先リストを有さない伝票データを入力するための画面を出力する。
【０１０１】
（ステップＳ１１４）伝票受付部１０６は取引先識別子と、伝票補助データとを有する伝票データを受け付けたか否かを判断する。例えば、情報処理端末２から受信したか否かを判断する。受け付けた場合、受け付けた伝票データを図示しない格納部等に蓄積してステップＳ１１５に進み、受け付けていない場合、ステップＳ１１４に進む。
【０１０２】
（ステップＳ１１５）判断部１０７は、伝票受付部１０６が受け付けて蓄積した同じ取引先識別子と分類データとの組を有する伝票データを検出する。
【０１０３】
（ステップＳ１１６）判断部１０７は、ステップＳ１１５で検出した伝票データの数が閾値以上であるか否かを判断する。閾値以上である場合、ステップＳ１１７に進み、閾値未満である場合、ステップＳ１１８に進む。なお、閾値以上であるか否かを判断することは、この閾値よりも値が１小さい閾値よりも数が大きいか否かを判断することも含む概念である。
【０１０４】
（ステップＳ１１７）蓄積部１０８は、ステップＳ１１５で検出された伝票データが有する取引先識別子と、分類データを有する伝票補助データとを有する新たな取引管理情報を取引管理情報格納部１０１に蓄積する。例えば、新たな取引管理情報を追記する。
【０１０５】
（ステップＳ１１８）伝票処理装置１の伝票受付部１０６等は、取引先リストを利用せずに、新たな取引についての伝票データの入力を行うか否かを判断する。例えば、新たなデータの入力を行うことを示す情報を受け付けたか否かを判断する。新たに行う場合、ステップＳ１１４に戻り、行わない場合、処理を終了する。
【０１０６】
なお、図３のフローチャートにおいて、電源オフや処理終了の割り込みにより処理は終了する。
【０１０７】
つぎに、情報処理端末２の動作の一例について簡単に説明する。
端末受付部２０１が、例えば、取引先リストを用いた伝票データの入力を開始する操作を受け付けると、端末送信部２０２は、伝票処理装置１に対して、取引先リストを用いた伝票データの入力を行うことを示す情報を送信する。端末受信部２０３は、この情報に応じて伝票処理装置１から送信される取引先リストを表示するためのデータを含む伝票データ入力画面を表示するためのデータを受信し、端末表示部２０４は、受信したデータを用いて取引先リストを含む伝票データ入力画面を図示しないモニタ等に表示する。
【０１０８】
端末受付部２０１は、端末表示部２０４に表示された取引先リストを介して、取引先識別子を指定する操作を受け付ける。そして、指定された取引先識別子を指定する取引先指定情報を、端末送信部２０２が、伝票処理装置１に送信する。また、端末受付部２０１は、端末表示部２０４に表示された伝票データ入力画面のカレンダー領域や電卓領域を介して、取引の日付や、金額を入力する操作を受け付け、受け付けた日付や金額を伝票処理装置１に送信する。また、端末受付部２０１は、上記以外の伝票データの情報を受け付け、端末送信部２０２が、受け付けた情報を、伝票処理装置１に送信してもよい。
【０１０９】
端末受信部２０３は、端末送信部２０２が送信した取引先指定情報等の情報に応じて伝票処理装置１から送信される取引オブジェクトを表示するためのデータを受信し、端末表示部２０４は、受信した取引オブジェクトを表示するためのデータを用いて取引毎の取引オブジェクトを図示しないモニタ等に表示する。例えば、取引オブジェクトを、伝票データ入力画面の取引表示領域１１等に表示する。また、端末送信部２０２は、ユーザからの操作に応じて、新たな伝票データを入力するか否かを示す情報を、伝票処理装置１に送信する。
【０１１０】
また、端末受付部２０１が、例えば、取引先リストを用いずに伝票データの入力を開始する操作を受け付けると、端末送信部２０２は、伝票処理装置１に対して、取引先リストを用いずに伝票データの入力を行うことを示す情報を送信する。端末受信部２０３は、この情報に応じて伝票処理装置１から送信される取引先リストを有さない伝票データを入力するための画面を表示するためのデータを受信し、端末表示部２０４は、受信したデータを用いて取引先リストを有さない伝票データを入力する画面を図示しないモニタ等に表示する。端末受付部２０１は、この伝票データを入力する画面を用いて、取引先識別子と、伝票補助データとを有する伝票データを受け付ける。端末送信部２０２は、受け付けた伝票データを伝票処理装置１に送信する。また、端末送信部２０２は、ユーザからの操作に応じて、新たな伝票データを入力するか否かを示す情報を、伝票処理装置１に送信する。
【０１１１】
なお、情報処理端末２の処理等は、例えば、電源オフや処理終了の割り込みにより終了する。
【０１１２】
以下、本実施の形態における伝票処理システム１０００の具体的な動作について説明する。ここでは一例として、伝票処理装置１がインターネット等に接続されたサーバ装置、情報処理端末２がタッチパネルを備えたタブレット型端末である場合を例に挙げて説明する。ただし、情報処理端末２は、ラップトップ型や据え置き型のコンピュータであってもよく、携帯情報端末であってもよく、携帯電話や、いわゆるスマートフォン等の多機能携帯電話や、電子書籍端末等であってもよい。
【０１１３】
図４は、取引管理情報格納部１０１に格納されてい取引管理情報である。取引管理情報は、「取引キーワード」、「借方勘定科目」、「貸方勘定科目」、「金額」という属性を有している。「取引キーワード」は、取引先識別子であり、ここでは、取引先の名称である。「借方勘定科目」は伝票補助データを構成する分類データの借方勘定科目である。「貸方勘定科目」は伝票補助デーを構成する分類データの貸方勘定科目である。「金額」は、伝票補助データを構成する取引に関する金額であり、空欄は、金額がないことを示す。ここでは、各レコード（行）が一の取引管理情報であるとする。
【０１１４】
図５は、図示しない格納部に格納されている取引オブジェクトの形状情報であるテンプレート情報を説明するための、テンプレート情報の一例を示す図（図５（ａ））、及びこのテンプレート情報を用いて作成された取引オブジェクトを示す図（図５（ｂ））である。
【０１１５】
テンプレート情報は、取引オブジェクトの背景となる角丸四角形の領域を示す情報（以下、背景領域情報）５０と、分類データのうちの借方勘定科目を入力するための領域５１と、分類データのうちの貸方勘定科目を入力するための領域５２と、借方勘定科目に対応する金額を入力するための領域５３と、貸方勘定科目に対応する金額を入力するための領域５４と、日付を入力するための領域５５と、入力メニュー項目データを入力するための領域５６とを備える。例えば、テンプレート情報は、上記の各領域を指定するための座標等の情報を有している。各領域には、文字のサイズやフォント、文字色等の文字列の属性を指定する情報が対応づけられていてもよい。なお、テンプレート情報は、図５のような画像を取得可能ないわゆるスタイルシート等の情報であってもよい。
【０１１６】
まず、ユーザが、情報処理端末２のタッチパネル等を用いて、取引先リストが配置された伝票データ入力画面を出力する操作を行うと、端末受付部２０１は、この操作を受け付け、端末送信部２０２は、伝票処理装置１に、取引先リストが配置された伝票データ入力画面を表示するための情報を要求する情報（以下、リスト表示要求情報と称す）を送信する。
【０１１７】
伝票処理装置１の受付部１０４が、情報処理端末２から送信されるリスト表示要求情報を受信すると、出力部１０２は、図４に示した取引管理情報の各レコードから、「取引キーワード」を取得して配列して、取引先リストを作成する。また、出力部１０２は、図示しない格納部に予め格納されているカレンダー領域及び電卓領域を表示するためのデータを取得する。また、出力部１０２は、図示しない格納部に格納されている伝票データ入力画面の背景の画像や、伝票データ入力画面に表示する文字列等のデータを適宜取得する。
【０１１８】
出力部１０２は、このようにして取得した、取引先リストがリスト領域に配置されたカレンダー領域と電卓領域とを有する伝票データ入力画面を表示するための情報を情報処理端末２に送信する。
【０１１９】
情報処理端末２の端末受信部２０３がこの伝票データ入力画面を表示するための情報を受信すると、情報処理端末２の端末表示部２０４は、この伝票データ入力画面を図示しないモニタに表示する。
【０１２０】
図６は、取引先リストが配置された伝票データ入力画面の表示例を示す図である。図において、図２と同一符号は同一または相当する部分を示す。ただし、ここでは、図２と異なり、取引表示領域１１には取引オブジェクトが配置されていないものとする。
【０１２１】
ユーザが、図示しないタッチパネルを操作して、リスト領域１２に表示された取引先リストの１行目の項目である「Ｔ−ＳＨＯＰ株式会社」を選択したとする。
【０１２２】
端末受付部２０１はこの「Ｔ−ＳＨＯＰ株式会社」を選択する操作を受け付ける。そして、端末送信部２０２は、取引先リストから選択された項目を指定する取引先指定情報を、伝票処理装置１に送信する。例えば、選択された項目の取引先識別子である「Ｔ−ＳＨＯＰ株式会社」を取引先指定情報として送信する
【０１２３】
上記の取引先指定情報を指定受付部１０３等が受け付けると、取引出力部１０５は、図４に示した取引管理情報から、受け付けた取引先指定情報が示す取引先識別子である「Ｔ−ＳＨＯＰ株式会社」と対応づけられた「借方勘定科目」の属性値と、「貸方勘定科目」の属性値と、「金額」の属性値とを取得する。ここでは、図４の１行目の取引管理情報のレコードの「取引キーワード」が取引先指定情報が示す取引先識別子である「Ｔ−ＳＨＯＰ株式会社」と一致するため、このレコードの「借方勘定科目」の属性値である「現金」と、「貸方勘定科目」の属性値である「売掛金」とを取得する。また、「金額」は空欄であるため取得しない。取得した情報は、取引先識別子「Ｔ−ＳＨＯＰ株式会社」とともに図示しない格納部等に蓄積する。
【０１２４】
また、ユーザが、例えば、タッチパネルを操作して、端末表示部２０４により表示されているカレンダー領域１３のカレンダー上の一の日付である「１２／１７」上をタップしたとすると、この操作により入力された日付が伝票処理装置１に送信される。伝票処理装置１の受付部１０４は、情報処理端末２から送信された日付を伝票データの日付として受け付け、上記で蓄積した情報と対応づけて図示しない格納部に蓄積する。
【０１２５】
また、ユーザが、例えば、タッチパネルを操作して、電卓領域１４のテンキー等を押して、金額を示す数字「５，０００」を入力したとすると、上記と同様に、この操作により入力された金額が伝票処理装置１に送信される。受付部１０４は、情報処理端末２から送信される金額を、伝票データの金額として受け付け、上記で蓄積した情報と対応づけて図示しない格納部に蓄積する。なお、勘定科目や日付や金額等を蓄積した図示しない格納部は、会計処理に用いられる図示しないデータベース等の格納部と考えてもよい。
【０１２６】
そして、ユーザが、登録ボタン１７を押すと、登録を行うことを指示する情報等が、情報処理端末２から伝票処理装置１に送信される。
【０１２７】
受付部１０４が登録を行うことを指示する情報を受信すると、取引出力部１０５は、図５（ａ）に示した取引オブジェクトのテンプレート情報を図示しない格納部から読出し、上記で取得した「借方勘定科目」の属性値である「現金」を、取引オブジェクトのテンプレート情報の領域５１に配置する。また「貸方勘定科目」の属性値である「売掛金」を取引オブジェクトのテンプレート情報の領域５２に配置する。また、取引先識別子「Ｔ−ＳＨＯＰ株式会社」を取引オブジェクトのテンプレート情報の領域５６に配置する。また、取引出力部１０５は、上記で受信した日付「１２／１７」を取引オブジェクトのテンプレート情報の領域５５に配置する。また、取引出力部１０５は、上記で受信した金額「５，０００」を取引オブジェクト１５のテンプレート情報の領域５３、及び領域５４の両方に配置する。
このようにして、一の取引についての仕訳のデータを配置した取引オブジェクトの情報を取得することができる。このようにして作成された取引オブジェクトの一例を図５（ｂ）に示す。
【０１２８】
そして、取引出力部１０５は、取得した取引オブジェクトの情報を、情報処理端末２に送信する。ここで送信される取引オブジェクトの情報は、例えば、取引オブジェクトを表示するための画像等の情報である。
【０１２９】
情報処理端末２の端末受信部２０３が、この取引オブジェクトの情報を受信すると、端末表示部２０４は、この情報を用いて、伝票データ入力画面の取引表示領域１１に、取引オブジェクト１５を表示する。
【０１３０】
図７は、取引オブジェクトを配置した伝票データ入力画面の表示例を示す図である。
【０１３１】
なお、既に、他の１以上の取引オブジェクトが配置されている場合、ここでは、新たな取引オブジェクトを、既に配置されている取引オブジェクトの下方に配置する。また、ここでは、取引オブジェクト同士が接しないように、取引オブジェクトは、隣接する取引オブジェクトと予め指定された距離（０より大きい距離とする）だけ隔てて配置される。なお、既に他の１以上のオブジェクトが配置されている場合、他の１以上の取引オブジェクトの配置を下方にずらして、新たな取引オブジェクトを最上部に配置するようにしてもよい。
【０１３２】
なお、取引先指定情報が示す取引先識別子を有する取引管理情報の「金額」の属性値が空欄でない場合には、この取引先管理情報の金額を、取引オブジェクトに配置する金額のデフォルト値として用いるようにしてもよい。この場合、電卓領域１４から金額の入力を受け付けなくても取引オブジェクトが作成できるようにしてもよい。
【０１３３】
その後、情報処理端末２に対する操作に応じて同様の処理を行うことで、図２に示したように、異なる取引についての複数の取引オブジェクトを追加して出力することができる。
【０１３４】
ここで、例えば、ユーザが、取引先リストを利用せずに伝票データを入力するための入力画面を表示するための操作を情報処理端末２に対して行ったとすると、この操作に応じて、伝票処理装置１の出力部１０２は、取引先リストが配置されていない伝票データを入力するための入力画面を表示するための情報を情報処理端末２に送信する。情報処理端末２は、この情報を用いて、伝票データの入力画面を表示する。
【０１３５】
図８は、取引先リストが配置されていない伝票データの入力画面の表示例を示す図である。図において、図２と同一符号は同一または相当する部分を示している。メニュー領域１８は、取引先に関係なく利用可能な伝票データの情報を入力するためのメニューが表示される領域である。メニュー領域１８内の取引先入力領域１９は、取引先識別子の入力欄であるとする。
【０１３６】
例えば、ユーザが、図８の入力画面のメニュー領域１８の一のメニュー項目である「売掛金の現金回収」をタップ等により選択したとすると、情報処理端末２の端末受付部２０１は、この操作を受け付け、端末送信部２０２が、この操作により選択されたメニュー項目の識別子を、伝票処理装置１に送信する。メニュー項目の識別子は、例えば、メニュー項目の文字列であり、ここでは、「売掛金の現金回収」という文字列であるとする。
【０１３７】
伝票処理装置１の図示しない格納部には、取引先リストが配置されていない伝票データの入力画面が有する１以上のメニュー項目の識別子が、それぞれ、予め、取引の分類データである借方勘定科目及び貸方勘定科目と対応づけて格納されており、伝票受付部１０６は、情報処理端末２から、メニュー項目の識別子を受信すると、このメニュー項目の識別子に対応づけられた分類データを、この図示しない格納部から取得する。ここでの「売掛金の現金回収」というメニュー項目の識別子と対応づけられた分類データは、例えば、借方勘定科目「現金」及び貸方勘定科目「売掛金」であったとすると、この分類データが取得され、取得した分類データは、図示しない格納部に一時記憶する。
【０１３８】
また、ユーザが、図８の取引先入力領域１９に取引先識別子「ＡＢＣＤ株式会社」を入力すると、入力された取引先識別子が、情報処理端末２に送信される。伝票受付部１０６は、この取引先識別子「ＡＢＣＤ株式会社」を受け付けると、上記の分類データと対応づけて、図示しない格納部に一時記憶する。
【０１３９】
また、情報処理端末２が、カレンダー領域１３や電卓領域１４を介して日付や金額を受け付けると、入力された日付や金額が、情報処理端末２に送信される。伝票受付部１０６は、この日付や金額を受信すると、上記の分類データと対応づけて、図示しない格納部に一時記憶する。
【０１４０】
そして、ユーザが、登録ボタン２０等を押すと、伝票受付部１０６が一時記憶したデータが、取引先リストを利用せずに入力された伝票データを格納するための図示しない格納部に蓄積される。なお、取引先リストを利用して入力された伝票データと、取引先リストを利用せずに入力された伝票データとを同じ格納部に蓄積し、それぞれを区別するためのフラグ等の情報を付与するようにしてもよい。
【０１４１】
図９は、取引先リストが配置されていない伝票データの入力画面を介して入力された伝票データが格納される格納部（図示せず）に格納された伝票データを管理する伝票データ管理表である。ここでは、過去に入力された伝票データが既に格納されている例を示している。伝票データ管理表は、図４に示した取引管理情報と同様の「取引キーワード」、「借方勘定科目」、「貸方勘定科目」という属性と、「日付」、「金額」という属性を有している。伝票受付部１０６が取得した借方勘定科目と貸方勘定科目とは、それぞれ、「借方勘定科目」と「貸方勘定科目」との属性値として蓄積され、伝票受付部１０６が受け付けた取引先識別子と、日付と、金額とは、それぞれ、「取引キーワード」と、「日付」と、「金額」との属性値として蓄積される。
【０１４２】
ここで、伝票データ管理表に新たな伝票データのレコード（行）が追加されたため、判断部１０７は、「取引キーワード」と、「借方勘定科目」と、「貸方勘定科目」との属性値がそれぞれ、新たなレコードの「取引キーワード」である「ＡＢＣＤ株式会社」と、「借方勘定科目」である「現金」と、「貸方勘定科目」である「売掛金」とに一致するレコードを、この新たなレコードも含めたすべてのレコードにおいて検索し、検出されたレコードの数をカウントし、カウント値が、閾値以上であるか否かを判断する。ここでは閾値は、例えば、３個であり、検出したレコード数が、３個であったとすると、閾値以上であると判断する。このため、蓄積部１０８は、この新たに蓄積されたレコードの「取引キーワード」の属性値「ＡＢＣＤ株式会社」と、分類データである「借方勘定科目」の属性値「現金」、及び分類データである「貸方勘定科目」の属性値「売掛金」を有する伝票補助データと、を有する取引管理情報を、取引管理情報格納部１０１に蓄積する。これにより、図４に示した取引管理情報のレコードに、新たなレコードが追加される。
【０１４３】
図１０は、新たな取引管理情報のレコードが追加された取引管理情報を示す図である。
【０１４４】
このようにすることで、同じ取引先識別子と分類データとを有する伝票データが、繰り返し入力される場合に、この分類データを有する伝票補助データと取引先識別子とを対応づけた取引管理情報を登録することができる。
【０１４５】
なお、既に同じ「取引キーワード」と、「借方勘定科目」と、「貸方勘定科目」とを有する取引管理情報が取引管理情報格納部１０１に格納されているか否かを判断し、格納されている場合、再度格納しないようにしても良い。
【０１４６】
また、検出したレコード数が閾値以上であった場合において、さらに、検出したレコードのすべての「金額」の属性値が一致するか否かを判断し、一致する場合には、新たに蓄積されたレコードの「取引キーワード」の属性値と、「借方勘定科目」の属性値、「貸方勘定科目」の属性値、及び「金額」の属性値を有する伝票補助データとを有する取引管理情報を蓄積するようにしてもよい。このようにすることで、例えば、家賃に関する伝票データ等のように、同じ金額を有する伝票データが繰り返し入力される場合に、この金額も伝票補助データとして取引先識別子と対応づけて蓄積することができ、取引先識別子を指定することで、同じ金額を有する伝票データを容易に繰り返し入力することが可能となる。
【０１４７】
なお、取引出力部１０５は、図８に示したような取引先リストが配置されていない伝票データの入力画面を介して入力された伝票データについても、この伝票データを配置した取引オブジェクトを取得して出力してもよい。
【０１４８】
以上、本実施の形態によれば、取引先識別子を指定することにより、指定された取引先識別子と対応づけられた分類データを伝票に入力されるデータに付与することができるため、伝票のデータを分類データにより適切に分類して入力することができ、伝票のデータを適切に入力することができる。例えば、伝票に入力する勘定科目等の分類データについての十分な知識がないユーザであっても、取引先の識別子を指定することで、伝票のデータを適切に分類して容易に入力することができる。
【０１４９】
また、本実施の形態によれば、取引毎の取引オブジェクトを表示する出力を行うようにしたことにより、入力している伝票のデータを取引単位で容易に確認することが可能となり、伝票に適切にデータを入力することができる。
【０１５０】
なお、上記実施の形態においては、伝票処理装置１と情報処理端末２とを備えた伝票処理システム１０００について説明したが、本発明の伝票処理装置１は、上記のようなサーバクライアントシステムのサーバ装置であってもよく、スタンドアローンの装置であってもよい。
【０１５１】
例えば、伝票処理装置１が、スタンドアローンの装置である場合、指定受付部１０３は、マウスやキーボードやタッチパネル等の入力デバイス等を介してユーザからの取引先指定情報の入力を受け付けるようにし、受付部１０４は、マウスやキーボードやタッチパネル等の入力デバイス等を介してユーザからの日付や金額等のデータの入力を受け付けるようにし、出力部１０２や取引出力部１０５の出力、例えば、取引先リストや、取引オブジェクトや、カレンダー領域や電卓領域を含む伝票データ入力画面等の出力を、伝票処理装置１が有する図示しない表示デバイス（例えば、モニタ等）を用いた表示とすればよい。
【０１５２】
また、この場合、指定受付部１０３が受け付ける取引先指定情報や、受付部１０４が受け付ける金額や日付等の伝票のデータの入力は、出力部１０２が図示しない表示デバイス等に表示する取引先リストや伝票データ入力画面を介して受け付ける伝票データの入力、例えば、取引先リストや、伝票データ入力画面を利用した操作によって受け付ける取引先指定情報や、金額や日付等の伝票データの入力と考えてもよい。
【０１５３】
また、この場合、取引出力部１０５は、取引出力部１０５が取引先指定情報に応じて取得した分類データ等の伝票補助データや、受付部１０４が受け付けた日付や金額等の伝票に入力されるデータを、伝票データを格納するための図示しない格納部に蓄積しても良く、伝票データを格納するための図示しないサーバ装置や、伝票データを処理するサーバ装置等に送信するようにしてもよい。
【０１５４】
なお、上記実施の形態において、各処理（各機能）は、単一の装置（システム）によって集中処理されることによって実現されてもよく、あるいは、複数の装置によって分散処理されることによって実現されてもよい。
【０１５５】
また、上記各実施の形態において、一の装置に存在する２以上の通信手段（出力部や取引出力部など）は、物理的に一の媒体で実現されても良いことは言うまでもない。
【０１５６】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１５７】
なお、上記各実施の形態における伝票処理装置を実現するソフトウェアは、以下のようなプログラムである。つまり、このプログラムは、取引先の識別子である取引先識別子と、取引の分類を示すデータである分類データを有する伝票補助データとを有する１以上の取引管理情報が格納されている取引管理情報格納部にアクセス可能なコンピュータを、取引管理情報格納部に格納されている１以上の取引先識別子のリストを出力する出力部と、出力部が出力した取引先識別子のリストのうちの一の取引先識別子を指定する情報である取引先指定情報を受け付ける指定受付部と、取引管理情報格納部から、指定受付部が受け付けた取引先指定情報が示す取引先識別子と対応づけられた伝票補助データを取得し、取得した伝票補助データを配置したオブジェクトである取引オブジェクトを出力する取引出力部として機能させるためのプログラムである。
【０１５８】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１５９】
また、このプログラムを実行するコンピュータは、単数であってもよく、複数であってもよい。すなわち、集中処理を行ってもよく、あるいは分散処理を行ってもよい。
【０１６０】
図１１は、上記プログラムを実行して、上記実施の形態による伝票処理装置を実現するコンピュータの外観の一例を示す模式図である。上記実施の形態は、コンピュータハードウェア及びその上で実行されるコンピュータプログラムによって実現されうる。
【０１６１】
図１１において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５を含むコンピュータ９０１と、キーボード９０２と、マウス９０３と、モニタ９０４とを備える。
【０１６２】
図１２は、コンピュータシステム９００の内部構成を示す図である。図１２において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１６３】
コンピュータシステム９００に、上記実施の形態による伝票処理装置等の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。
【０１６４】
プログラムは、コンピュータ９０１に、上記実施の形態による伝票処理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１６５】
本発明は、以上の実施の形態に限定されることなく、種々の変更が可能であり、それらも本発明の範囲内に包含されるものであることは言うまでもない。
【産業上の利用可能性】
【０１６６】
以上のように、本発明にかかる伝票処理装置等は、伝票データを処理する装置等として適しており、特に、伝票データの入力に用いられる装置等として有用である。
【符号の説明】
【０１６７】
１  伝票処理装置
２  情報処理端末
１０１  取引管理情報格納部
１０２  出力部
１０３  指定受付部
１０４  受付部
１０５  取引出力部
１０６  伝票受付部
１０７  判断部
１０８  蓄積部
２０１  端末受付部
２０２  端末送信部
２０３  端末受信部
２０４  端末表示部
１０００  伝票処理システム
【図１】
2016031729.tif 000003
【図３】
2016031729.tif 000004
【図４】
2016031729.tif 000005
【図５】
2016031729.tif 000006
【図９】
2016031729.tif 000007
【図１０】
2016031729.tif 000008
【図１１】
2016031729.tif 000009
【図１２】
2016031729.tif 000010
【図２】
2016031729.tif 000011
【図６】
2016031729.tif 000012
【図７】
2016031729.tif 000013
【図８】
2016031729.tif 000014